(57)【要約】【課題】簡便な構造で排水する洗浄水の除菌を行う。【解決手段】内視鏡用洗浄消毒装置２は、洗浄水を排水する排液路４９に、洗浄水中の汚物や雑菌を捕捉するフィルタ６１ａ〜６１ｃを有するフィルタユニット５１が接続されている。フィルタ６１ａ〜６１ｃは、留め具６２ａ、６２ｂにより排液路４９に着脱自在とされた容器６０に収容されており、目の粗いものから順に上流側から配置されている。フィルタ６１ａ〜６１ｃは、排液路４９を通る消毒液によって消毒される。【選択図】図４
2007089638.tif 000002
【特許請求の範囲】
【請求項１】
洗浄槽に収容された内視鏡を洗浄・消毒する内視鏡用洗浄消毒装置において、
洗浄水を排水する排水路に、前記洗浄水中の汚物や雑菌を捕捉するフィルタを接続したことを特徴とする内視鏡用洗浄消毒装置。
【請求項２】
目の粗さが異なる複数個のフィルタを接続したことを特徴とする請求項１に記載の内視鏡用洗浄消毒装置。
【請求項３】
前記複数個のフィルタを、目の粗いものから順に上流側から配置したことを特徴とする請求項２に記載の内視鏡用洗浄消毒装置。
【請求項４】
前記フィルタを、前記排水路に着脱自在とされた容器に収容したことを特徴とする請求項１ないし３のいずれかに記載の内視鏡用洗浄消毒装置。
【請求項５】
前記フィルタに消毒液を供給する消毒液供給手段を設けたことを特徴とする請求項１ないし４のいずれかに記載の内視鏡用消毒洗浄装置。
【発明の詳細な説明】
【技術分野】
【０００１】
本発明は、洗浄槽に収容された内視鏡を洗浄・消毒する内視鏡用洗浄消毒装置に関する。
【背景技術】
【０００２】
従来から、医療分野において、内視鏡を利用した医療診断が盛んに行われている。医療診断で使用された内視鏡は、臨床医による予備洗浄後、内視鏡用洗浄消毒装置の洗浄槽内にて、洗浄、消毒、すすぎ、乾燥などの各種処理が施され、洗浄・消毒滅菌される。
【０００３】
従来の内視鏡用洗浄消毒装置では、洗浄に用いた洗浄水を外部にそのまま排液していた。しかしながら、洗浄水は通常、水道水若しくは酵素洗剤が溶けた水であるため、雑菌が失活しておらず、そのまま排水することは環境にとって好ましくない。また、院内感染を引き起こすおそれもある。
【０００４】
上記のような観点から、洗浄水に電熱線による熱やオゾンガスを講じて、雑菌を失活させるようにした内視鏡用洗浄消毒装置が提案されている（特許文献１参照）。また、洗浄水と、水道水、または消毒液とを混合する液混合タンクを設け、洗浄水を水道水で希釈、または消毒液で消毒して排水するようにした内視鏡用洗浄消毒装置が提案されている（特許文献２参照）。
【特許文献１】特開２００１−１８７０１７号公報
【特許文献２】特開平５−３３７０８０号公報
【発明の開示】
【発明が解決しようとする課題】
【０００５】
しかしながら、特許文献１に記載の手法では、汚物の塊の中に潜む雑菌までは完全に失活させることができず、汚物の塊が排水時の流圧で破壊されて、洗浄水が再び汚染されてしまうおそれがあった。
【０００６】
また、特許文献２に記載の手法では、洗浄水を水道水で希釈しただけでは、当然雑菌は失活されず、消毒液で消毒する場合も、消毒液の効力の失活が早まるため、ランニングコストが掛かるという問題があった。そのうえ、液混合タンクが必要となるため、装置の大型化、およびコストアップに繋がるという問題があった。
【０００７】
本発明は、上記課題を鑑みてなされたものであり、簡便な構造で排水する洗浄水の除菌を行うことができる内視鏡用洗浄消毒装置を提供することを目的とする。
【課題を解決するための手段】
【０００８】
上記目的を達成するために、本発明は、洗浄槽に収容された内視鏡を洗浄・消毒する内視鏡用洗浄消毒装置において、洗浄水を排水する排水路に、前記洗浄水中の汚物や雑菌を捕捉するフィルタを接続したことを特徴とする。ここで、洗浄水とは、内視鏡の洗浄や洗浄・消毒後のすすぎに用いられるものであり、水道水や酵素洗剤を溶かした水道水などを含む。
【０００９】
なお、目の粗さが異なる複数個のフィルタを接続することが好ましい。この場合、前記複数個のフィルタを、目の粗いものから順に上流側から配置することが好ましい。
【００１０】
前記フィルタを、前記排水路に着脱自在とされた容器に収容することが好ましい。
【００１１】
前記フィルタに消毒液を供給する消毒液供給手段を設けることが好ましい。
【発明の効果】
【００１２】
本発明の内視鏡用洗浄消毒装置によれば、洗浄水を排水する排水路に、洗浄水中の汚物や雑菌を捕捉するフィルタを接続したので、簡便な構造で排水する洗浄水の除菌を行うことができる。
【発明を実施するための最良の形態】
【００１３】
図１において、内視鏡用洗浄消毒装置２は、箱状の装置本体１０と、装置本体１０にヒンジで開閉自在に取り付けられた蓋１１とから構成される。この内視鏡用洗浄消毒装置２は、装置本体１０の上面に設けられた洗浄槽１２に使用済みの内視鏡３０（図２参照）を収容し、洗浄、消毒、すすぎ、乾燥などの各種処理を施して、内視鏡３０を洗浄・消毒滅菌するものである。
【００１４】
装置本体１０の上面手前には、操作パネル１３、および表示パネル１４が配されている。操作パネル１３は、上記各種処理の内容に関する設定や洗浄開始／停止などを指示するための多数のボタンからなる。表示パネル１４は、各種設定画面、処理の残り時間、トラブル発生時の警告メッセージなどを表示する。
【００１５】
蓋１１は、洗浄槽１２に使用済みの内視鏡３０を収容する際や、消毒滅菌後の内視鏡３０を取り出す際に開閉操作される。消毒滅菌を行っている際には、蓋１１により洗浄槽１２の開口部が覆われ、外部に洗浄水や消毒液が飛散しないようになっている。また、蓋１１の上面は、透明なのぞき窓となっており、洗浄や消毒滅菌の様子を視認することが可能となっている。
【００１６】
洗浄槽１２内には、噴射装置１５、洗浄水を供給する給水口１６、消毒液を供給する消毒液供給口１７、および洗浄水、消毒液を排出する排液口１８などが設けられている。
【００１７】
噴射装置１５は、洗浄槽１２の略中央に配されており、円筒状の回転体１９と、回転体１９の周面に複数設けられたノズル２０とからなる。内視鏡３０の洗浄時には、回転体１９が回転されるとともに、ノズル２０から洗浄水が噴射される。
【００１８】
図２に示すように、使用済みの内視鏡３０は、手元操作部３１が洗浄槽１２の側面に設けられたカプラ３２の近傍に載置され、回転体１９の周辺に巻き回された状態で洗浄槽１２内に収容される。カプラ３２は、手元操作部３１の吸引ボタンの装着口３３、送気・送水ボタンの装着口３４、および鉗子口３５にチューブ３６を介して接続されている。このカプラ３２からチューブ３６を経由して、洗浄水や消毒液が内視鏡３０内部の送気・送水チューブ、吸引チューブ、および鉗子挿通用チューブに供給され、これにより内視鏡３０の内部管路の洗浄・消毒滅菌が行われる。
【００１９】
図３において、装置本体１０の上部には、水道水の蛇口などの水供給源とホースなどで接続され、給水口１６に繋がる給水路４０が配されている。給水路４０は、その途中に配された第１電磁弁４１によって開閉される。
【００２０】
第１電磁弁４１が開かれると、給水路４０に水供給源からの水（水道水）が流れ、この水道水が給水口１６から洗浄水として洗浄槽１２に供給される。なお、図示はしていないが、給水路４０には、ノズル２０やカプラ３２が繋がれており、これらの箇所にも洗浄水が供給されるようになっている。
【００２１】
装置本体１０の下部には、消毒液タンク４３が配設されている。消毒液タンク４３には、内視鏡３０の消毒に使用する薬液（例えば、グルタラール、過酢酸、酸性水、二酸化塩素、過酸化水素など）が貯留され、消毒液供給口１７に繋がる消毒液供給路４４と、排液口１８に繋がる消毒液回収路４５とが接続されている。消毒液供給路４４の途中には、消毒液タンク４３内の消毒液を洗浄槽１２に向けて吸い上げるポンプ４６が配されている。
【００２２】
ポンプ４６が作動されると、消毒液供給路４４にポンプ４６によって吸い上げられた消毒液タンク４３内の消毒液が流れ、この消毒液が消毒液供給口１７から洗浄槽１２に供給される。なお、図示はしていないが、消毒液供給路４４には、給水路４０と同様に、ノズル２０やカプラ３２が繋がれており、これらの箇所にもポンプ４６によって消毒液が供給されるようになっている。
【００２３】
消毒液回収路４５は、第２電磁弁４７を介して、排液口１８と外部排液口４８とを繋ぐ排液路４９に接続されている。消毒液回収路４５、および排液路４９は、第２電磁弁４７によって開閉される。
【００２４】
第２電磁弁４７が作動されて、消毒液回収路４５側が開、排液路４９側が閉となると、排液口１８から排液された消毒液が、消毒液回収路４５を経由して消毒液タンク４３に回収される。
【００２５】
排液路４９の第２電磁弁４７の下流側には、第３電磁弁５０、およびフィルタユニット５１が配されている。排液路４９は、この第３電磁弁５０によっても開閉され、循環系（図示せず）側と外部排液口４８側とに流路が切り替えられる。
【００２６】
第２電磁弁４７の消毒液回収路４５側が閉、排液路４９側が開の状態で、第３電磁弁５０が作動されて、排液路４９側が開となり、循環系側が閉となると、排液口１８から排水された洗浄水や効力が失活した消毒液が、外部排液口４８から外部に排液される。
【００２７】
図４に示すように、フィルタユニット５１は、容器６０と、この容器６０に収容された目の粗さが異なる３個のフィルタ６１ａ〜６１ｃとからなる。容器６０には、上流側（排液口１８側）と下流側（外部排液口４８側）の排液路４９にそれぞれ接続される留め具６２ａ、６２ｂが設けられている。フィルタユニット５１は、これらの留め具６２ａ、６２ｂにより、排液路４９に着脱自在となっている。なお、留め具６２ａ、６２ｂは、例えば、ワンタッチ着脱式のソケットやフランジからなる。
【００２８】
フィルタ６１ａ〜６１ｃは、目の粗いものから順に上流側から配置されている。目の粗い上流側のフィルタ６１ａは、主にサイズの大きい汚物を捕捉し、目の細かい下流側のフィルタ６１ｃは、主にサイズの小さい雑菌を捕捉する。中間のフィルタ６１ｂは、中間のサイズの汚物や雑菌を捕捉する。また、フィルタ６１ａ〜６１ｃは、排液路４９を通る消毒液によって消毒される。
【００２９】
図３に戻って、洗浄槽１２の裏面には、超音波振動子５２が固着されている。超音波振動子５２は、洗浄槽１２に洗浄水を貯めて内視鏡３０が完全に洗浄水に浸漬された状態で作動され、洗浄水に超音波を放射して内視鏡３０に付着した汚れを超音波洗浄する。
【００３０】
図５において、ＣＰＵ７０は、内視鏡用洗浄消毒装置２の各部の動作を統括的に制御する。ＲＯＭ７１には、内視鏡用洗浄消毒装置２を動作させるために必要なプログラムやデータが記憶されている。ＣＰＵ７０は、このＲＯＭ７１から、プログラムやデータを作業用メモリであるＲＡＭ７２に読み出し、各種処理に応じた制御を実行する。また、ＣＰＵ７０は、操作パネル１３の操作入力に応じて各部を動作させ、表示パネル１４に画面を表示させる。
【００３１】
次に、上記構成を有する内視鏡用洗浄消毒装置２による内視鏡３０の洗浄・消毒滅菌の処理手順を、図６のフローチャートを参照して説明する。内視鏡３０による検査の終了後、作業者は、まず、内視鏡用洗浄消毒装置２の電源をオンし、使用済みの内視鏡３０をシンクなどで軽く水洗い（予備洗浄）して、内視鏡３０に付着している汚物などを洗い流す。
【００３２】
予備洗浄後、作業者は、手元操作部３１がカプラ３２の近傍に位置するように、内視鏡３０を回転体１９の周辺に巻き回して洗浄槽１２内に収容し、吸引ボタンの装着口３３、送気・送水ボタンの装着口３４、および鉗子口３５にチューブ３６を接続した後、蓋１１を閉めて操作パネル１３を操作し、洗浄・消毒滅菌工程を開始させる。
【００３３】
洗浄・消毒滅菌工程の開始が指示されると、内視鏡用洗浄消毒装置２では、ＣＰＵ７０の制御の下に、噴射装置１５および第１電磁弁４１が作動され、回転体１９を回転させながらノズル２０から水を噴射して、内視鏡３０の外表面を洗浄する前洗浄が行われる。また、カプラ３２、およびチューブ３６を介して、内視鏡３０の内部管路に水が導入され、内部管路が洗浄される。この前洗浄で使用された水は、フィルタ６１ａ〜６１ｃで汚物や雑菌が捕捉・除去されて、排液口１８を介して外部排液口４８に排水される。
【００３４】
前洗浄後、ＣＰＵ７０により第１電磁弁４１が作動されて、水供給源からの水道水が給水口１６から洗浄槽１２に供給される。そして、内視鏡３０が完全に洗浄水に浸漬された状態とされた後、ＣＰＵ７０の制御の下に、超音波振動子５２が作動され、洗浄水に超音波を放射して内視鏡３０に付着した汚れを落とす超音波洗浄が行われる。超音波洗浄で使用された水は、フィルタユニット５１のフィルタ６１ａ〜６１ｃで汚物や雑菌が捕捉・除去されて、排液口１８を介して外部排液口４８に排水される。
【００３５】
超音波洗浄後、前洗浄時と同様に、内部管路が洗浄される。そして、超音波洗浄前と同様に、給水口１６から洗浄槽１２に洗浄水が供給され、内視鏡３０の外表面および洗浄槽１２の汚れを洗い流すすすぎが行われる。すすぎに使用された水は、フィルタユニット５１のフィルタ６１ａ〜６１ｃで汚物や雑菌が捕捉・除去されて、排液口１８を介して外部排液口４８に排水される。
【００３６】
すすぎ後、ＣＰＵ７０によりポンプ４６が作動され、消毒液供給口１７から洗浄槽１２に消毒液が供給され、内視鏡３０が消毒液に完全に浸漬された状態とされる。また、カプラ３２、およびチューブ３６を介して、内視鏡３０の内部管路に消毒液が導入され、内部管路が消毒される。
【００３７】
内視鏡３０を消毒液に所定時間浸漬させた後、ＣＰＵ７０により第２電磁弁４７が作動されて、排液路４９側が閉、消毒液回収路４５側が開となり、排液口１８から消毒液回収路４５を経由して、消毒液タンク４３に消毒液が回収される。
【００３８】
消毒後、超音波洗浄後のすすぎと同様のすすぎが２回行われ、ノズル２０やカプラ３２から図示しない機構でエアー、またはアルコールが供給される乾燥工程を経て、内視鏡３０の洗浄・消毒滅菌工程が終了する。
【００３９】
以上詳細に説明したように、内視鏡用洗浄消毒装置２は、洗浄水を排水する排液路４９に、洗浄水中の汚物や雑菌を捕捉するフィルタ６１ａ〜６１ｃを有するフィルタユニット５１を接続したので、従来のように、汚物の塊の中に潜む雑菌で洗浄水が再び汚染されることがなく、液混合タンクのような大掛かりな装置を設ける必要がない。
【００４０】
また、目の粗さが異なる複数個のフィルタ６１ａ〜６１ｃを用い、目の粗いものから順に上流側から配置したので、サイズの大きい汚物や雑菌から順にフィルタ６１ａ〜６１ｃに捕捉されるため、フィルタの目詰まりが起こりにくくなる。
【００４１】
また、フィルタ６１ａ〜６１ｃを排液路４９に着脱自在とされた容器６０に収容したので、フィルタユニット５１を交換する作業者が、フィルタ表面の汚物や雑菌に触れることを防ぐことができ、作業者の衛生を確保することができる。
【００４２】
さらに、フィルタ６１ａ〜６１ｃに消毒液を供給するようにしたので、捕捉された雑菌をある程度失活させることができ、作業者の衛生の確保をより確実にすることができる。
【００４３】
なお、フィルタの数は上記実施形態の３個に限らず、汚物や雑菌を環境負荷のないレベルにまで除去することができれば、１個であってもよい。また、電熱線による加熱やオゾンガスなど、他の滅菌装置を併用すれば、より確実に洗浄水中の雑菌を失活させることができる。
【００４４】
上記実施形態では、効力が失活した消毒液でフィルタ６１ａ〜６１ｃを消毒するようにしているが、消毒液タンク４３から別経路で、または手動で、フィルタに新鮮な消毒液を供給するようにしてもよい。
【００４５】
上記実施形態では、前洗浄用の装置として噴射装置１５を設けているが、この代わりに、若しくはこれに加えて、洗浄槽１２の四囲にスプレーノズルを設けてもよい。また、洗浄槽１２に酵素洗剤を供給する機構やミクロバルブを発生させる機構を設けてもよく、装置の仕様に応じて適宜追加変更することができる。
【００４６】
上記実施形態では、水供給源から直接水道水を導入しているが、給水路４０に水道水の雑菌を除去するフィルタを設けてもよい。
【図面の簡単な説明】
【００４７】
【図１】内視鏡用洗浄消毒装置の概略構成を示す斜視図である。
【図２】洗浄槽に内視鏡を収容した様子を示す平面図である。
【図３】装置本体内部の構成を示す平面図である。
【図４】フィルタユニットの構成を示す平面図である。
【図５】内視鏡用洗浄消毒装置の電気的構成を示すブロック図である。
【図６】洗浄・消毒滅菌工程の処理手順を示すフローチャートである。
【符号の説明】
【００４８】
２  内視鏡用洗浄消毒装置
１２  洗浄槽
１８  排液口
３０  内視鏡
４８  外部排液口
４９  排液路
５１  フィルタユニット
６０  容器
６１ａ〜６１ｃ  フィルタ
６２ａ、６２ｂ  留め具
７０  ＣＰＵ
【図１】
2007089638.tif 000003
【図２】
2007089638.tif 000004
【図３】
2007089638.tif 000005
【図４】
2007089638.tif 000006
【図５】
2007089638.tif 000007
【図６】
2007089638.tif 000008